(57)【特許請求の範囲】
【請求項１】
取付対象の側方で上下方向に延びる脚部と、前記脚部に対して前記取付対象へ接近する方向及び前記取付対象から離間する方向への移動及び上下移動を拘束自在とした移動規制手段と、前記移動規制手段に配置され、前記取付対象の上端に上方から係合自在な上側アームと、前記脚部の下部に挿着され、前記脚部に沿って上下方向に移動自在で、前記取付対象の下端に下方から係合し、前記上側アームとの間で前記取付対象を上下方向から挾持する下側アームとからなる複数の取付支柱部と、
前記複数の取付支柱部の前記脚部の上端部に締結具によって締結自在な１以上の支持アームと、
前記１以上の支持アームの各々に締結具によって締結自在であり、表示板を支持する支持部と
を具備することを特徴とする表示板用取付具。
【発明の詳細な説明】
【０００１】
【発明の属する技術分野】
本発明は、表示板用取付具に関するものであり、特に、道路表示等として仮設される工事用看板等の表示板をガードレールまたはガードバー等の取付対象に取付けて掲示し、表示板が風等により揺動したり、取付対象から離脱することを防止する表示板用取付具に関するものである。
【０００２】
【従来の技術】
従来のこの種の表示板用取付具として、図６に示す技術を挙げることができる。
【０００３】
図６は従来の表示板用取付具を示す正面図である。
【０００４】
図６において、表示板用取付具は、脚部５１、支持部５２、上側アーム５３及び下側アーム５４を備える。前記脚部５１は、ガードレールまたはガードバー等の取付対象Ｇの一側方に上下方向に延びるように配置されるものであり、四角筒状をなす上部５１ａと雄螺子を周囲に螺刻した下部５１ｂとからなる。支持部５２は、脚部５１の上部５１ａの上端に直交して設けられるとともに、工事用表示板等の表示板Ｓの下端をボルト及びナット等の締結具（図示略）により締結支持自在となっている。また、支持部５２は、その中央をボルト及びナット等の締結具Ｂにより脚部５１の上部５１ａ上端に枢着され、脚部５１の周方向に回動して、表示板Ｓの掲示方向を３６０度変更自在となっている。
【０００５】
なお、支持部５２を脚部５１の上部５１ａに回動不能に固着するタイプの表示板用取付具もあり、これは、例えば、支持部５２が取付対象Ｇと略直行する方向に延びるよう脚部５１の上部５１ａ上端に固定されている。
【０００６】
脚部５１の上部５１ａの左右側の側面には、上下方向の所定間隔毎に複数の位置決孔（図示略）が穿設されている。一方、前記上側アーム５３は、脚部５１の上部５１ａの所定高さ位置に配置されるものであり、取付部５３ａの一側面上部にブラケット５３ｂを固着するとともに、ブラケット５３ｂの先端に下方に開放する略Ｖ字板状の係合部５３ｃを固着している。また、係合部５３ｃの内面にはゴム等の弾性材からなるクッション材５３ｄが貼着されている。なお、前記取付部５３ａは、その右側面下部及び左側面全体を切り欠いて、脚部５１の上部５１ａに左右方向に傾斜して嵌合装着自在とされている。そして、上側アーム５３は、取付部５３ａをピン（図示略）により脚部５１の上部５１ａのいずれかの位置決孔に対応する位置に固定することにより、脚部５１に対し上下の位置調節自在に取付けられる。更に、上側アーム５３は、係合部５３ｃを取付対象Ｇの上端に上方から係合自在としている。
【０００７】
前記下側アーム５４は、摺動部５４ａの側面にブラケット５４ｂを固着し、ブラケット５４ｂの先端に上方に開放する略Ｖ字板状の係合部５４ｃを固着している。摺動部５４ａは、脚部５１の下部５１ｂに外嵌され、下部５１ｂに沿って上下に摺動自在とされる。また、係合部５４ｃの内面にはゴム等の弾性材からなるクッション材５４ｄが貼着されている。更に、摺動部５４ａの下端側には、下部５１ｂに螺合されて上下に移動し、摺動部５４ａを上下に移動して位置決めするナット５４ｅ及びナット５４ｅの緩みを防止するロックナット５４ｆが配置されている。そして、下側アーム５４は、摺動部５４ａ及びナット５４ｅを介して脚部５１の下部５１ｂに沿って任意の高さ位置に移動配置自在とされている。更に、係合部５４ｃを取付対象Ｇの下端に下方から係合自在としている。これにより、上側アーム５３の係合部５３ｃを取付対象Ｇの上端に係合した状態で、下側アーム５４を脚部５１の下部５１ｂに沿って上方に移動し、係合部５４ｃを取付対象Ｇの下端に圧接係合することにより、前記上側アーム５３と下側アーム５４との間で取付対象Ｇを上下方向から挾持するようになっている。
【０００８】
次に、上記のように構成された従来の表示板用取付具の使用方法を説明する。
まず、工事現場等において、「工事中」等の内容を表示する所定の表示板Ｓを掲示する場所で、取付対象Ｇの所定位置に表示板Ｓを取付けて掲示する場合は、取付対象Ｇの幅に合わせて、上側アーム５３を脚部５１の上部５１ａの所定高さ位置に位置決めしてピンにより固定する。そして、上側アーム５３の係合部５３ｃを取付対象Ｇの上端に係合した状態で、下側アーム５４のナット５４ｅを締上げて摺動部５４ａを脚部５１の下部５１ｂに沿って上方に移動し、係合部５４ｃを取付対象Ｇの下端に圧接係合する。これにより、前記上側アーム５３と下側アーム５４との間で取付対象Ｇを上下方向から挾持して、表示板用取付具を取付対象Ｇの所望位置に固定する。そして、支持部５２に所望の内容を表示する表示板Ｓを締結具により締結固定することにより、表示板Ｓの掲示が完了する。
【０００９】
【発明が解決しようとする課題】
ここで、表示板用取付具を取付対象Ｇに取付けた状態で、表示板Ｓは、通常、取付対象Ｇと略直行する方向に配置されるため、風Ｗが表示板Ｓに当たると、表示板Ｓは取付対象Ｇの長手方向に付勢され、表示板Ｓには厚さ方向Ｘへの力が加わる。また、風Ｗが強くなり、例えば、風速が約３０m/sec を超えると、表示板Ｓが風力により取付対象Ｇと平行する方向に変向してしまう。この場合、表示板Ｓには取付対象Ｇと略直交する方向Ｙへの力が同時に加わり、表示板用取付具がその方向Ｙに繰返し揺動、即ち、がたつくことがある。
【００１０】
このように、従来の表示板用取付具は、上記のように構成され、表示板Ｓを締結支持する支持部５２は、その中央部の１か所を脚部５１の上部５１ａの上端に枢着されまたは固着されるため、表示板が大形であったりすると表示板用取付具が繰り返し揺動され、表示板Ｓの掲示方向が所定の方向よりずれて見にくくなったり、脚部との枢着または固着が損傷或いは折損する可能性がある。この場合、表示板Ｓが表示板用取付具から外れて飛んでしまうという不具合がある。
【００１１】
この現実に鑑み、本出願人は、先に、取付対象の側方で上下方向に延びる脚部と、前記脚部の上端部に設けられ、表示板を支持する支持部と、前記脚部に対し、前記取付対象へ接近する方向及び前記取付対象から離間する方向への移動及び上下移動を拘束自在とした移動規制手段と、前記移動規制手段に配置され、前記取付対象の上端に上方から係合自在な上側アームと、前記脚部の下部に挿着され、前記脚部に沿って上下方向に移動自在で、前記取付対象の下端に下方から係合し、前記上側アームとの間で前記取付対象を上下方向から挾持する下側アームとを具備する表示板用取付具を発明し、それを特許出願（特開平６−３４６４１０号公報）した。
【００１２】
本出願人の先の発明においては、表示板が５０ｃｍ×１５０ｃｍ程度のサイズであれば、通常の風等によって掲示方向が変向することを確実に防止でき、設置状態を安全に維持できる。しかしながら、表示板が更に大形になる場合を想定すると、表示板の掲示方向が風によって変向することを確実に防止し、安全性を確保するには、必ずしも十分ではない。
【００１３】
そこで、本発明は、表示板が大形であっても、その掲示方向が風により所定の方向から変向することを確実に防止し、十分な剛性と安全性を確保した表示板用取付具の提供を課題とするものである。
【００１４】
【課題を解決するための手段】
請求項１にかかる表示板用取付具は、取付対象の側方で上下方向に延びる脚部、前記脚部に対して前記取付対象へ接近する方向及び前記取付対象から離間する方向への移動及び上下移動を拘束自在とした移動規制手段、前記移動規制手段に配置され、前記取付対象の上端に上方から係合自在な上側アーム、前記脚部の下部に挿着され、前記脚部に沿って上下方向に移動自在で、前記取付対象の下端に下方から係合し、前記上側アームとの間で前記取付対象を上下方向から挾持する下側アームとからなる複数の取付支柱部と、前記複数の取付支柱部の前記脚部の上端部に締結具によって締結自在な１以上の支持アームと、前記１以上の支持アームの各々に締結具によって締結自在であり、表示板を支持する支持部とを具備するものである。
【００１５】
【発明の実施の形態】
以下、本発明の実施の形態を説明する。
【００１６】
図１は本発明の一実施の形態の表示板用取付具をその取付対象と共に使用状態を示す斜視図である。図２は本発明の一実施の形態の表示板用取付具の上面図である。図３は本発明の一実施の形態の表示板用取付具における図２のＡ−Ａ断面矢視図である。図４は本発明の一実施の形態の表示板用取付具の取付対象への取付手段を拡大して示す正面図である。図５は本発明の一実施の形態である支持アームとその締結手段を拡大して示す斜視図である。なお、図中、従来例と同一符号及び同一記号は、従来例の構成部分と同一または相当部分を示すものである。
【００１７】
図において、脚部１０は、取付対象Ｇの一側方に上下方向に延びるよう配置されるものであり、四角筒状をなす上部１１と雄螺子を周囲に螺刻した下部１２とからなる。脚部１０の上部１１の正面及び背面には、上下方向の所定間隔毎に複数の位置決孔１１ａ（図４参照）が穿設されている。
【００１８】
また、上側アーム２０は、図４に示すように、ブラケット２２、係合部２３を具備する。即ち、上側アーム２０は、取付部２１の一側面上部にブラケット２２を固着するとともに、ブラケット２２の先端に下方に開放する略Ｖ字板状の係合部２３を固着している。
【００１９】
そして、本実施の形態の移動規制手段３０は、図４において、左側壁全体及び右側壁下部を切り欠き、右側壁上部により前側壁（図中正面側）及び後側壁（図中背面側）を連結した略チャンネル板状をなし、その右側壁、前側壁及び後側壁を脚部１０の上部１１に密接して外嵌自在とされている取付部２１と、前記取付部２１の一側面上部にブラケット２２の位置を選択すべく、取付部２１の右側壁上部内面の脚部１０の位置決孔１１ａと整合可能な位置決ピン２４と、上側アーム２０の取付部２１の上端の全周に嵌込まれ、その外形に対応する内径の略四角ドーナツ板状の金属板等からなり、図中正面の左右方向の移動を拘束する上部連結部材３１と、取付部２１の下端の正面から左側面及び背面にかけて機械的に連結及び補強する金属板等からなる下部連結部材３２とを具備している。
【００２０】
上部連結部材３１は、取付部２１の外周に装着された状態で、取付部２１の外周面との摩擦力により、容易には離脱しないようにされるとともに、所定の上方への押圧力により、取付部２１から離脱自在とされている。また、上側アーム２０の取付部２１の下端の正面から左側面及び背面にかけて、金属板等からなる下部連結部材３２が巻き回され、取付部２１の左側面の切り欠き下端を機械的に連結及び補強している。
【００２１】
前記取付部２１は、下部連結部材３２を支点として、右方へ傾動して上部１１から離間自在であり、かつ、左方へ傾動して上部１１に密接外嵌自在であり、取付部２１を上部１１から離間した状態で、所望の高さ位置に位置決めし、左方へ移動して位置決ピン２４を上部１１の位置決孔１１ａに挿着することにより、上側アーム２０の脚部１０の上下方向への移動が規制され、上側アーム２０を取付部２１を介して脚部１０の上部１１の所定高さ位置に配置自在となっている。更に、前記上部連結部材３１を取付部２１の切り欠き上端に外嵌挿着することにより、上部連結部３１及び下部連結部３２が協働して、取付部２１が上部１１を右方に移動するのを規制するとともに、取付部２１自体の右側壁上部により取付部２１が上部１１を左方へ移動するのを拘束するとともに、上側アーム２０の上下移動を拘束するようになっている。
【００２２】
即ち、上部連結部３１及び下部連結部３２並びに取付部２１の右側壁上部及び位置決ピン２４は、上側アーム２０を脚部１０に対し、取付対象Ｇへ接近する方向及び取付対象Ｇから離間する方向への移動不能に固定するとともに、上側アーム２０の上下移動を拘束する本実施の形態の移動規制手段３０を構成している。脚部１０には図５に拡大して示すように上部１１の上端面に締結具として雄螺子１２が設けてある。
【００２３】
前述した構造の脚部１０、上側アーム２０、移動規制手段３０及び下側アーム５４からなる取付支柱部６０を３セット（本）有する。支持アーム７０は表示板Ｓの掲示方向角度の調節をも併せた複数の位置決孔７１を支持アーム７０の長手方向に設け、端部には固定板７２を固着し、固定板７２には雄螺子７３を設ける。そして、取付支柱部６０の３セットのうち２セットはその上部１１の上端面の雄螺子１２に支持アーム７０の位置決孔７１を挿着し、補強座金１３、スプリングワッシャ１４、ナット１５の各を挿着し取付支柱部６０と支持アーム７０とが締結自在な構成として具備している。支持部５２には取付支柱部６０或いは支持アーム７０と締結するための複数の取付孔５２ａを有している。なお、この複数の取付孔５２ａは、支持アーム７０の複数の位置決孔７１との締結位置によって、表示板Ｓの掲示方向角度の調節及び組付けの機械的強度を最適状態に設定するのに使用できる。
【００２４】
更に、支持部５２は、脚部１０の上部１１の上端に直交して設けられるとともに、工事用表示板等の表示板Ｓの下端をボルト及びナット等の締結具により締結支持自在となっている。また、支持部５２は、その略中央をボルト及びナット等の締結具により脚部１０の上部１１上端に枢着され、脚部１０の周方向に回動して、表示板Ｓの掲示方向を３６０度変更自在となっている。なお、支持部５２を脚部１０の上部１１に回動不能に固着することもできる。これは、例えば、支持部５２が取付対象Ｇと略直行する方向に延びるよう脚部１０の上部１１の上端に固定されることになる。
【００２５】
下側アーム５４は、摺動部５４ａの側面にブラケット５４ｂを固着し、ブラケット５４ｂの先端に上方に開放する略Ｖ字板状の係合部５４ｃを固着している。摺動部５４ａは、脚部５１の下部５１ｂに外嵌され、下部５１ｂに沿って上下に摺動自在とされる。また、係合部５４ｃの内面にはゴム等の弾性材からなるクッション材５４ｄが貼着されている。更に、摺動部５４ａの下端側には、下部５１ｂに螺合されて上下に移動し、摺動部５４ａを上下に移動して位置決めするナット５４ｅ及びナット５４ｅの緩みを防止するロックナット５４ｆが配置されている。そして、下側アーム５４は、摺動部５４ａ及びナット５４ｅを介して脚部１０の下部１２に沿って任意の高さ位置に移動配置自在とされている。更に、係合部５４ｃを取付対象Ｇの下端に下方から係合自在としている。これにより、上側アーム２０の係合部２３を取付対象Ｇの上端に係合した状態で、下側アーム５４を脚部１０の下部１２に沿って上方に移動し、係合部５４ｃを取付対象Ｇの下端に圧接係合することにより、前記上側アーム２０と下側アーム５４との間で取付対象Ｇを上下方向から挾持するようになっている。
【００２６】
次に、このように構成された本実施の形態の表示板用取付具の動作を説明する。
【００２７】
本実施の形態の表示板用取付具は、従来例の表示板用取付具と同様、所望内容の表示板Ｓを掲示するために、ガードレール等の取付対象Ｇの所望位置に取付けられる。この場合、本発明の実施の形態では３セットの取付支柱部６０を図１のように配置するために取付対象Ｇの幅に合わせて、各の取付支柱部６０の取付部２１を上部１１から離間した状態で、所望の高さ位置に移動して、図３及び図４において左方へ移動して位置決ピン２４を脚部１０の上部１１の所定高さ位置の位置決孔１１ａと整合させて挿着し、上側アーム２０を所望高さに位置決めする。更に、上部連結部材３１を取付部２１の切り欠き上端に外嵌挿着することにより、上部連結部３１及び下部連結部３２の協働により、取付部２１が上部１１を右方に移動するのが規制されるとともに、取付部２１自体の右側壁上部により取付部２１が上部１１を左方へ移動するのが拘束され、かつ、上側アーム２０の上下移動が拘束される。そして、上側アーム２０の係合部２３を取付対象Ｇの上端に係合した状態で、下側アーム５４のナット５４ｅを締上げて摺動部５４ａを脚部５１の下部５１ｂに沿って上方に移動し、係合部５４ｃを取付対象Ｇの下端に圧接係合するとともに、ロックナット５４ｆを締上げてナット５４ｅの緩みを防止する。これにより、前記上側アーム２０と下側アーム５４との間で取付対象Ｇを上下方向から挾持して、取付支柱部６０を取付対象Ｇの所望位置に固定する。
【００２８】
このように、３セットの取付支柱部６０をガードレール等の取付対象Ｇの所望位置に固定した後中央に配した取付支柱部６０の上部に設けてある雄螺子１２に支持部５２の中央の取付孔５２ａを挿着し、両側に固定した取付支柱部６０の上部に設けてある雄螺子１２には支持アーム７０の位置決孔７１を挿着し、この支持アーム７０の端部の雄螺子７３には支持部５２の取付孔５２ａを挿着する。このように各に挿着された支持部５２は取付支柱部及び支持アーム７０の２か所をナットにより締結する。
【００２９】
支持部５２を前述のように締結する場合に、支持アーム７０の位置決孔７１及び支持部５２の取付孔５２ａを選択することにより表示板の掲示方向である取付対象Ｇと支持部５２の角度を所定方向に決め締結することができる。この場合、上記位置決孔７１及び取付孔５２ａが長円形であれば掲示方向角度が無段階に調節できることになる。そして、支持部５２に所望の内容を表示する表示板Ｓを締結具により締結固定することにより、表示板Ｓの掲示が完了する。
【００３０】
上記実施の形態の表示板用取付具は、表示板Ｓを支持自在な支持部５２は、１か所が直接に取付支柱部６０に、２か所が支持アーム７０を介して取付支柱部６０に締結し支持している。即ち、合計３か所が固定されているため、表示板Ｓが大形であっても揺動は防止され、かつ、表示板Ｓの掲示方向が所定の方向から変向することがない。また、締結部分が破損する可能性もなくなる。したがって、表示板用取付具により取付対象Ｇと略直行する方向Ｙに配置された表示板Ｓに強い風Ｗが当って、表示板Ｓに対して取付対象Ｇに平行する方向に力が働き、表示板Ｓに取付対象Ｇと略直交する方向Ｙへの力が同時に加わっても、表示板用取付具がその方向Ｙに揺動することがない。よって、表示板Ｓが表示板用取付具から飛んでしまうという不具合もない。
【００３１】
なお、表示板用取付具を取外して表示板Ｓを別の場所に移設する場合は、前述の取付動作とは逆の手順で、上部連結部材３１を上方に所定の押圧力で移動して、取付部２１の拘束を解除し、上側アーム２０を上下動して新たに位置決めする。そして、前述と同様の手順により、表示板用取付具を取付対象Ｇの所望位置に取付けて固定する。
【００３２】
このように、本実施の形態の表示板用取付具は、脚部１０を取付対象Ｇの側方に上下方向に延びるよう配置し、前記脚部１０の上部１１の上端に表示板Ｓを支持自在な支持部５２の取付孔５２ａの１か所が直接に、取付孔５２ａの２か所が支持アーム７０を介して枢着し、上側アーム２０を取付部２１を介して前記脚部１０の上部１１に外嵌装着して、位置決ピン２４により脚部１０の所定高さ位置に配置するとともに、係合部２３を前記取付対象Ｇの上端に上方から係合自在とし、下側アーム５４を、前記脚部１０の下部１２に螺合されるナット５４ｅにより、摺動部５４ａを介して前記脚部１０の下部１２に沿って上下方向に移動配置自在とするとともに、係合部５４ｃを前記取付対象Ｇの下端に下方から係合自在として、前記脚部１０の下部を上方に移動することにより、前記上側アーム２０との間で前記取付対象Ｇを上下方向から挾持するようにし、更に、前記上側アーム２０を前記脚部１０に対し、前記取付対象Ｇへ接近する方向及び前記取付対象Ｇから離間する方向への移動及び上側アーム２０の上下移動を拘束する移動規制手段３０を、上側アーム２０の取付部２１の上端切り欠きに外嵌装着される略四角ドーナツ板状の金属板状をなす上部連結部材３１、下端に巻き回される金属板状の下部連結部材３２、取付部２１の右側壁上部及び位置決ピン２４により構成したものである。
【００３３】
したがって、上記実施の形態は、表示板Ｓを支持部５２に支持するとともに、取付支柱部６０の上側アーム２０及び下側アーム５４により取付対象Ｇの上下両端を係合して挾持することにより、表示板用取付具を介して表示板Ｓが取付対象Ｇの所望位置に掲示される。そして、風Ｗが吹いて、表示板Ｓを、その厚さ方向Ｘ方向に付勢した場合、支持部５２はその取付孔５２ａの３か所が直接及び支持アーム７０を介して取付支柱部６０に締結し支持しているため、表示板Ｓの掲示方向が所定の方向から変向することを拘束する。故に、表示板が見にくくなったりしない。また、表示板Ｓが大形であっても揺動せず、締結部分が破損する可能性がない。その結果、風Ｗが強い場合でも、表示板用取付具から表示板Ｓが風Ｗにより飛んでしまうといった不具合を防止することができ、十分な剛性と安全性を確保できる。
【００３４】
ところで、上記実施の形態の表示板取付具では、取付支柱部６０が３セットで構成されているが、本発明を実施する場合には、これに限定されるものではなく、少なくとも２セット以上で構成することができ、これら複数の取付支柱部６０の各々に表示板Ｓを締結固定する支持部５２が直接間接を問わず締結支持される構成であればよい。即ち、図１における中央とその左の取付支柱部６０の２セットの組合わせ、或いは、左右両側の取付支柱部６０の２セットの組合せでもよい。言い換えけば、取付支柱部６０のセット数と同一の支持アーム７０の数または取付支柱部６０のセット数より１セット少ない支持アーム７０の数が対応することになる。
【００３５】
また、移動規制手段３０は、上部連結部材３１、下部連結部材３２及び取付部２１、位置決ピン２４により構成されているが、本発明を実施する場合には、これに限定されるものではなく、少なくとも、上側アーム２０のがたつきによる脚部１０からの離脱を阻止すべく機能するものであればよく、例えば、上側アーム２０の取付部２１を脚部１０の上部１１に外嵌可能な四角筒状に形成し、その右側面及び左側面の全体により、取付部２１の左右方向へのがたつき、揺動を阻止するよう構成することができる。この場合には、位置決ピン２４は、取付部２１の外部から取付部２１または脚部１０に螺止するように構成することができる。
【００３６】
即ち、各実施の形態の表示板用取付具は、取付対象の側方で上下方向に延びる脚部１０と、前記脚部１０に対し、前記取付対象Ｇへ接近する方向及び前記取付対象Ｇから離間する方向への移動及び上下移動を拘束自在とした移動規制手段３０と、前記移動規制手段３０に配置され、前記取付対象Ｇの上端に上方から係合自在な上側アーム２０と、前記脚部１０の下部に挿着され、前記脚部１０に沿って上下方向に移動自在で、前記取付対象Ｇの下端に下方から係合し、前記上側アーム２０との間で前記取付対象Ｇを上下方向から挾持する下側アーム５４とからなる取付支柱部６０を複数有し、前記取付支柱部６０の一つまたは二つには、その前記脚部１０の上端部に締結具により締結自在な支持アーム７０を有し、前記支持アーム７０と他の取付支柱部６０の前記脚部１０の上端部或いは他の前記指示アーム７０との２か所以上が締結具により締結自在である支持部５２とを具備するものである。
【００３７】
なお、上側アーム２０及び下側アーム５４の構成も、上記実施の形態のものに限定されるものではなく、取付対象Ｇを上下から挾持して表示板用取付具を所定位置に固定できる限りにおいて、例えば、係合部２３または係合部５４ｃをＵ字板状とする等、他の構成としてもよい。
【００３８】
そして、上記実施の形態の上側アーム２０は、位置決ピン２４により脚部１０の上部１１の所定高さ位置に位置決めして固定するようになっているが、これを、予め、取付対象Ｇの幅を考慮して、所定高さ位置に溶接等により固定しておくこともできる。この場合も、下側アーム５４の上下移動による高さ調節により、取付対象Ｇの幅の変化を吸収することができ、取付に支障を来たすことはない。この構成によれば、脚部１０の位置決孔１１ａ、上側アーム２０の挿通孔及び位置決ピン２４を省略することができ、全体の構成がより簡単になって、コスト低減を図ることができる。更に、上側アーム２０を位置決めして固定する位置決ピン２４は、取付部２１の脱落を防止できる限りにおいて、脚部１０の上部１１の前側壁または後側壁に、取付部２１の外部から挿着する構成として実施してもよい。この場合、脚部１０の上部１１の側壁に挿通孔を穿設する。また、位置決ピン２４をボルト及びナット等の締結具により構成して螺着するようにしてもよい。
【００３９】
加えて、上記実施の形態の表示板用取付具は、取付支柱部６０よりも一つ少ない支持アーム７０を用いることによって、即ち、取付支柱部６０に支持部５２を直接接続することによって、取付け安定性をより良くしているが、本発明を実施する場合には、取付支柱部６０と同数の支持アーム７０を用いることによっても実施することができる。この場合には、取付対象Ｇと表示板Ｓとの位置関係を任意に設定できる。
【００４０】
更に、上記実施の形態においては、締結具としてボルト及びナットを使用しているが、本発明を実施する場合には、固着手段とすることができる。
【００４１】
【発明の効果】
以上のように、本発明の表示板用取付具は、取付対象の側方で上下方向に延びる脚部、前記脚部に対し、前記取付対象へ接近する方向及び前記取付対象から離間する方向への移動及び上下移動を拘束自在とした移動規制手段、前記移動規制手段に配置され、前記取付対象の上端に上方から係合自在な上側アーム、前記脚部の下部に挿着され、前記脚部に沿って上下方向に移動自在で、前記取付対象の下端に下方から係合し、前記上側アームとの間で前記取付対象を上下方向から挾持する下側アームとからなる取付支柱部を複数有し、前記取付支柱部の１以上には、その前記脚部の上端部に締結具により締結自在な支持アームを有し、前記支持アームと他の取付支柱部の前記脚部の上端部或いは他の前記支持アームとの２か所以上が締結具により締結自在である支持部とを具備するものである。
【００４２】
したがって、表示板を支持部で支持するとともに、上側アーム及び下側アームにより取付対象の上下両端を係合して挾持することにより、表示板用取付具を介して表示板が取付対象の所望位置に掲示される。そして、風が吹いて、表示板をその厚さ方向に付勢した場合、支持部が１か所以上の取付支柱部と締結し支持されていたため、表示板の掲示方向が所定の方向から変向することを拘束する。故に、表示板が見にくくなったりしない。また、表示板が大形であっても揺動せず、締結部分が破損する可能性は少ない。その結果、風が強い場合でも、表示板用取付具から表示板が風により飛んでしまうといった不具合を防止することができ、十分な剛性と安全性を確保できる。
【図面の簡単な説明】
【図１】  図１は本発明の一実施の形態の表示板用取付具をその取付対象と共に使用状態を示す斜視図である。
【図２】  図２は本発明の一実施の形態の表示板用取付具の上面図である。
【図３】  図３は本発明の一実施の形態の表示板用取付具における図２のＡ−Ａ断面矢視図である。
【図４】  図４は本発明の一実施の形態の表示板用取付具のガードレールなどの取付対象への取付手段を拡大して示す正面図である。
【図５】  図５は本発明の一実施の形態である支持アームとその締結手段を拡大して示す斜視図である。
【図６】  図６は従来の表示板用取付具を示す正面図である。
【符号の説明】
１０    脚部
２０    上側アーム
２４    位置決ピン
３０    移動規制手段
３１    上部連結部材
３２    下部連結部材
５２    支持部
５４    下側アーム
６０    取付支柱部
７０    支持アーム
Ｇ      取付対象
Ｓ      表示板
【図１】
0004047433.tif 000002
【図２】
0004047433.tif 000003
【図３】
0004047433.tif 000004
【図４】
0004047433.tif 000005
【図５】
0004047433.tif 000006
【図６】
0004047433.tif 000007